(57)【要約】ストロボ装置（２）は、撮像装置（１）とともにブラケット（３０）に着脱自在なストロボ本体部（９）に回転可能に連結される発光部（１０）と、ストロボ本体部（９）に対する発光部（１０）の角度姿勢を変更可能とする可変機構と、可変機構を駆動する駆動部と、駆動部を制御する制御部とを備える。制御部は、ストロボ本体部（９）がブラケット（３０）に装着されていることを検知している状態において、撮像装置（１）が所在する領域への発光部（１０）の移動を制限する制御モードを有する。これにより、発光部（１０）が撮像装置（１）に当たらないストロボ装置（２）を実現できる。
2014030329.tif 000002
【特許請求の範囲】
【請求項１】
撮像装置とともにブラケットに着脱自在なストロボ本体部と、
前記ストロボ本体部に回転可能に連結される発光部と、
前記ストロボ本体部に対する前記発光部の角度姿勢を変更可能とする可変機構と、
前記可変機構を駆動する駆動部と、
前記駆動部を制御する制御部と、を備え、
前記制御部は、前記ストロボ本体部が前記ブラケットに装着されていることを検知する検知部を有し、
前記制御部は、前記検知部が検知している状態において、前記撮像装置が所在する領域への前記発光部の移動を制限する制御モードを有するストロボ装置。
【請求項２】
撮像装置に着脱自在なストロボ本体部と、
前記ストロボ本体部に回転可能に連結される発光部と、
前記ストロボ本体部に対する前記発光部の角度姿勢を変更可能とする可変機構と、
前記可変機構を駆動する駆動部と、
前記駆動部を制御する制御部と、を備え、
前記制御部は、前記ストロボ本体部がアクセサリシューに装着されていること、ならびに撮影者が前記撮像装置のファインダーを使用していることを検知する検知部を有し、
前記制御部は、前記検知部が検知している状態において、前記撮像装置の撮影者が所在する領域へ前記発光部の移動を制限する制御モードを有するストロボ装置。
【請求項３】
前記制御部は、前記撮像装置が所在する領域に対応する前記発光部の角度情報を記憶する記憶部を有する請求項１に記載のストロボ装置。
【請求項４】
前記制御部は、前記撮像装置の撮影者が所在する領域に対応する前記発光部の角度情報を記憶する記憶部を有する請求項２に記載のストロボ装置。
【請求項５】
前記制御部は、前記撮像装置が所在する領域に対応する前記発光部の角度情報をティーチングによって取得するティーチィングモードを有する請求項３に記載のストロボ装置。
【請求項６】
前記制御部は、前記撮像装置の撮影者が所在する領域に対応する前記発光部の角度情報をティーチングによって取得するティーチィングモードを有する請求項４に記載のストロボ装置。
【請求項７】
請求項１に記載のストロボ装置およびブラケットを備える撮像装置。
【発明の詳細な説明】
【技術分野】
【０００１】
本発明は、発光部の角度姿勢を変更可能な照射方向角度可変式のストロボ装置およびストロボ装置を備えた撮像装置に関する。
【背景技術】
【０００２】
従来から撮像装置は、より自然な画像を得るために、ストロボ装置の発光部から放射されるストロボ光を天井や壁などの反射体に照射して拡散させ、被写体を間接的に照明して撮影するバウンス撮影が行われている。【０００３】
つまり、バウンス撮影では、ストロボ装置の発光部の照射面を被写体とは正対させず、天井や壁などの反射体のある所望の方向に向け、ストロボ光を反射体で反射させて照明し、被写体を撮影する。【０００４】
そこで、従来のストロボ装置は、ストロボ装置の制御部で、撮影レンズの光軸方向である撮影方向とストロボ光を照射する照射方向（反射体のある所望の方向）とのなすバウンス角度を自動的に制御する構成が提案されている（例えば、特許文献１参照）。これにより、ストロボ装置の発光部を常に反射体のある方向に向けてストロボ光を照射し、間接的に被写体を照明できるとしている。【０００５】
また、特許文献１に記載のストロボ装置は、天井（反射体）と被写体とに、それぞれ撮像装置の撮像レンズを向けてオートフォーカス測距し、反射体および被写体との距離に基づいてバウンス角度を設定して被写体を撮影している。【０００６】
このとき、通常、ストロボ装置は、撮像装置の上面側に設けられたホットシューに装着される。【０００７】
また、撮像装置とともにブラケットに装着されて使用される場合もある。この場合、ブラケット上で撮像装置とストロボ装置とが隣り合うように配置される。このとき、ストロボ装置が、発光部の角度姿勢を自動的に変更できる仕様の場合、発光部が撮像装置に当たる場合がある。そのため、ストロボ装置の駆動系が損壊するという課題があった。【０００８】
また、撮像装置のホットシューにストロボ装置を装着して使用する場合、撮影者が撮像装置のファインダーを使用して撮像するときに、上記と同様に、ストロボ装置の発光部が撮影者の頭部などに当たる場合がある。そのため、ストロボ装置の駆動系の損壊だけではなく、撮影者に不具合を生じさせるという課題があった。
【先行技術文献】
【特許文献】
【０００９】
【特許文献１】特開２００９−１６３１７９号公報
【発明の概要】
【００１０】
上記課題を解決するために、本発明のストロボ装置は、撮像装置とともにブラケットに着脱自在なストロボ本体部と、ストロボ本体部に回転可能に連結される発光部と、ストロボ本体部に対する発光部の角度姿勢を変更可能とする可変機構と、可変機構を駆動する駆動部と、駆動部を制御する制御部とを備える。制御部は、ストロボ本体部がブラケットに装着されていることを検知する検知部を有する。そして、制御部は、検知部が検知している状態において、撮像装置が所在する領域への発光部の移動を制限する制御モードを有する。
【００１１】
この構成によれば、制御部は駆動部を制御し、駆動部は可変機構を駆動して、ストロボ本体部に対する発光部の角度姿勢を変更する。このとき、ストロボ本体部がブラケットに装着される、すなわちストロボ装置がブラケットに装着されると、制御部は、装着されたことを検知部を介して認識する。そして、制御部は、制御モードにより、発光部が撮像装置の所在する領域へ移動することを制限するように、駆動部を制御する。これにより、ストロボ装置が撮像装置とともにブラケットに装着された場合、撮像装置の所在する領域への発光部の移動を防止できる。その結果、ストロボ装置の駆動系の損壊を未然に防止して、信頼に優れたストロボ装置を実現できる。
【００１２】
また、本発明のストロボ装置は、撮像装置に着脱自在なストロボ本体部と、ストロボ本体部に回転可能に連結される発光部と、ストロボ本体部に対する発光部の角度姿勢を変更可能とする可変機構と、可変機構を駆動する駆動部と、駆動部を制御する制御部とを備える。制御部は、ストロボ本体部がアクセサリシューに装着されていること、ならびに撮影者が撮像装置のファインダーを使用していること検知する検知部を有する。そして、制御部は、検知部が検知している状態において、撮影装置のファインダーを使用する撮影者が所在する領域へ発光部の移動を制限する制御モードを有する。
【００１３】
この構成によれば、制御部は駆動部を制御し、駆動部は可変機構を駆動して、ストロボ本体部に対する発光部の角度姿勢を変更する。このとき、制御部は、検知部を介して、ストロボ本体部がアクセサリシューに装着され、かつ撮影者がファインダーを使用していることをカメラ（撮像装置）側からの通信で検知する。具体的な検知方法として、例えば撮像装置のファインダーのアイピースに光センサが設けられている。そして、撮影者がファインダーを覗いたときに、光センサが撮影者の顔で塞がれる。このとき、通常、撮像装置は、液晶モニタから電子ビューファインダーに切り替わる機能を備えている。そこで、切り替わるときの信号を通信により、制御部で受信することにより、撮影者がファインダーを使用していることを検知する方法などである。
【００１４】
そして、制御部は、制御モードにより、発光部が、撮影者が所在する領域へ移動するのを制限するように駆動部を制御する。これにより、ストロボ装置の発光部と撮影者との衝突や、駆動系の損壊を未然に防止できる。その結果、安全で、信頼に優れたストロボ装置を実現できる。
【図面の簡単な説明】
【００１５】
【図１】図１は、本発明の実施の形態に係る撮像装置の構成を示すブロック図である。
【図２】図２は、同実施の形態に係るストロボ装置の側面図である。
【図３】図３は、同実施の形態に係るストロボ装置の上面図である。
【図４Ａ】図４Ａは、同実施の形態に係るストロボ装置が設定可能な上下方向（鉛直方向）の照射範囲を説明する図である。
【図４Ｂ】図４Ｂは、同実施の形態に係るストロボ装置が設定可能な左右方向（水平方向）の照射範囲を説明する図である。
【図５】図５は、同実施の形態に係るストロボ装置が撮像装置とともにブラケットに装着されている状態を示す正面図である。
【発明を実施するための形態】
【００１６】
以下、本発明の実施の形態に係るストロボ装置およびそれを備える撮像装置について、図面を参照しながら説明する。なお、以下の実施の形態は、本発明を具体化した一例であって、本発明の技術的範囲を限定するものではない。
【００１７】
（実施の形態）
以下に、本発明のストロボ装置およびストロボ装置を備えた撮像装置について、図１から図４Ｂを用いて説明する。
【００１８】
図１は、本発明の実施の形態に係る撮像装置の構成を示すブロック図である。図２は、同実施の形態に係るストロボ装置の側面図である。図３は、同実施の形態に係るストロボ装置の上面図である。図４Ａは、同実施の形態に係るストロボ装置が設定可能な上下方向（鉛直方向）の照射範囲を説明する図である。図４Ｂは、同実施の形態に係るストロボ装置が設定可能な左右方向（水平方向）の照射範囲を説明する図である。
【００１９】
図１に示すように、本実施の形態の撮像装置１は、少なくとも被写体を撮影する撮影機能部３と、制御装置４と、表示部５と、操作装置６と、周辺Ｉ／Ｆ７と、シャッター８などを備えている。また、撮像装置１には、被写体にストロボ光を照射するストロボ装置２が装着可能（着脱可能）に設けられている。
【００２０】
制御装置４は、ストロボ装置２および撮影機能部３を制御する。表示部５は、被写体を撮影した画像などを表示する。操作装置６は、撮影条件の設定や電源のオン・オフを切り換える。周辺Ｉ／Ｆ７は、周辺機器との間で画像データなどを入出力する。シャッター８は、ストロボ装置２を発光させて被写体を撮影するために、ユーザにより操作される。
【００２１】
また、図２および図３に示すように、本実施の形態のストロボ装置２は、少なくとも、例えば矩形状に形成された筐体からなるストロボ本体部９と、発光部１０と、可変機構１２と、角度検出部１４と、制御部１５と、操作部１６と、検知スイッチ２６からなる検知部２６と、を備えている。発光部１０は、ストロボ本体部９に回転可能に連結され、閃光放電管１１が収納されている。そして、発光部１０は、例えば主コンデンサ３４から供給される電気エネルギーにより閃光放電管１１を発光させ、発光した光を外部へ放射する。可変機構１２は、発光部１０の角度姿勢を変更可能とする。駆動部１３は、可変機構１２を駆動する。角度検出部１４は、ストロボ本体部９に対する発光部１０の角度を検出する。制御部１５は、ストロボ装置２を制御する。操作部１６は、ストロボ本体部９の、例えば背面９ｄ側に設けられ、各種設定値の入力や、各種モードの選択を行う。検知部２６を構成する検知スイッチ２６は、ストロボ本体部９に設けられ、撮像装置１またはブラケット３０（図５参照）に対するストロボ装置２の脱着状態を検知する。
【００２２】
また、ストロボ本体部９の上面９ａ側には、発光部１０が回転可能に連結されている。さらに、通常、ストロボ本体部９の下面９ｂ側には、図１に示す撮像装置１が連結可能に設けられている。このとき、ストロボ本体部９の正面９ｃが撮像装置１の撮影方向Ａ（撮像レンズの光軸方向）を向くように、撮像装置１に連結されている。なお、ストロボ装置２が、図５を用いて後述するブラケット３０に装着される場合は、ストロボ装置２と撮像装置１は、別々にブラケット３０に装着される。この場合においても、ストロボ装置２のストロボ本体部９の正面９ｃが撮像装置１の撮影方向Ａを向くように、ブラケット３０に装着される。
【００２３】
また、発光部１０は、例えば略矩形状（矩形状を含む）に形成された筐体からなり、筐体の一方の面１０ａ側には閃光放電管１１が発光した光を照射する開口部１７を備えている。そして、発光部１０は、開口部１７の鉛直方向Ｂに対する傾斜角度姿勢を変更することにより、ストロボ光が照射される照射方向Ｃが変更できるように構成されている。
【００２４】
また、可変機構１２は、図２に示すように、鉛直方向可変機構１８と水平方向可変機構１９とから構成され、ストロボ本体部９と発光部１０とを回転可能に連結している。具体的には、可変機構１２の鉛直方向可変機構１８は、ストロボ本体部９の幅方向Ｄ（図３参照）に沿って設けられる横軸Ｘを中心に鉛直方向Ｂに回転可能に連結されている。一方、可変機構１２の水平方向可変機構１９は、ストロボ本体部９の上下方向Ｅ（高さ方向：図４Ａ参照）に設けられる縦軸Ｙを中心に水平方向Ｆに回転可能に連結されている。
【００２５】
さらに、可変機構１２の鉛直方向可変機構１８は、図４Ａに示すように、鉛直方向Ｂにおける発光部１０の角度姿勢を変更可能に設けられている。具体的には、鉛直方向可変機構１８は、図４Ａの実線で示す発光部１０の鉛直方向Ｂの角度姿勢を、通常照射方向角度（発光部１０が通常撮影位置Ｐ１にあるときの角度）と、図４Ａの一点鎖線で示すユーザによって設定され、通常照射方向角度とは異なる所望照射方向角度（発光部１０がバウンス撮影位置Ｐ２、Ｐ３にあるときの角度）との間を含んで、回転可能に連結して設けられている。本実施の形態では、可変機構１２の鉛直方向可変機構１８は、通常の撮影位置Ｐ１からバウンス撮影位置Ｐ３との間で、例えば鉛直方向１８０度の回転角度範囲で回転する。
【００２６】
一方、可変機構１２の水平方向可変機構１９は、図４Ｂに示すように、水平方向Ｆにおける発光部１０の角度姿勢を変更可能に設けられている。そして、本実施の形態では、水平方向可変機構１９は、左右方向１８０度の回転角度を有している。
【００２７】
また、駆動部１３は、図２および図３に示すように、鉛直方向可変機構１８を回転駆動する、例えば鉛直方向駆動モータなどからなる鉛直方向駆動部２０（図３参照）と、水平方向可変機構１９を回転駆動する、例えば水平方向駆動モータなどからなる水平方向駆動部２１（図２参照）とを備えている。
【００２８】
また、角度検出部１４は、発光部１０に設けられ、鉛直方向Ｂにおける発光部１０の角度を検出する鉛直方向角度検出部２２と、水平方向Ｆにおける発光部１０の角度を検出する水平方向角度検出部２３とを備えている。
【００２９】
ここで、鉛直方向角度検出部２２は、本実施の形態では、例えばＸＹＺ軸の３方向の加速度を検出する３軸加速度センサで構成される。そして、３軸加速度センサで静止時の重力加速度を検出することにより、発光部１０の鉛直方向Ｂにおける発光部１０の傾斜角度を検出する。水平方向角度検出部２３は、本実施の形態では、磁場（磁界）の大きさ・方向を検出する地磁気センサで構成される。そして、地磁気センサは、発光部１０が向いている方位を検出することにより、発光部１０の水平方向Ｆにおける発光部１０の傾斜角度を検出する。
【００３０】
また、制御部１５は、各種演算処理を行う演算部２４と、各種情報を記憶する記憶部２５とを備えている。制御部１５はＣＰＵから構成され、記憶部２５はＣＰＵ内蔵のＲＡＭまたはＲＯＭ、あるいはＣＰＵに外部接続されたＲＡＭまたはＲＯＭから構成されている。
【００３１】
そして、制御部１５の記憶部２５は、後述する発光部１０の移動制限範囲情報を記憶している。なお、移動制限範囲情報とは、例えば鉛直方向角度検出部２２や水平方向角度検出部２３によって検出される発光部１０の角度情報である。具体的には、発光部１０の進入（角度変更）が制限される範囲（例えば、撮像装置が所在する領域や撮影者が所在する領域など）を規定する発光部１０の角度情報である。
【００３２】
以下に、本実施の形態のストロボ装置と撮像装置をブラケットに装着した構成について、図５を用いて、具体的に説明する。
【００３３】
図５は、同実施の形態に係るストロボ装置が撮像装置とともにブラケットに装着されている状態を示す正面図である。
【００３４】
つまり、本実施の形態のストロボ装置２が、撮像装置１とともにブラケット３０に装着されて使用される場合について説明する。
【００３５】
この場合、図５に示すように、ストロボ装置２と撮像装置１は、ブラケット３０に装着される。このとき、撮像装置１とブラケット３０とは、撮像装置１の下面１ａに形成されたねじ孔（図示しない）に、ブラケット３０の撮像装置固定用ねじ３１を螺合して装着され、撮像装置１がブラケット３０に固定される。
【００３６】
一方、ストロボ装置２とブラケット３０とは、ストロボ本体部９の側面９ｅに形成されたねじ孔（図示しない）に、ブラケット３０のストロボ本体部固定用ねじ３３を螺合して装着され、ストロボ装置２がブラケット３０に固定される。ストロボ本体部９の側面９ｅに形成したねじ孔には、検知スイッチ２６を構成する検知部２６を備えている。検知スイッチ２６は、ストロボ本体部９のねじ孔に、ブラケット３０のストロボ本体部固定用ねじ３３が螺合されると、ＯＮ信号を出して、ストロボ装置２がブラケット３０に装着されたことを検知する。
【００３７】
また、撮像装置１とストロボ装置２とは、接続コード２７を介して、接続される。つまり、撮像装置１のホットシュー（図示しない）に接続コード２７の一端側のコネクタ２８が装着され、接続コード２７の他端側のコネクタ２９がストロボ装置２のアダプタ（図示しない）に装着される。これにより、撮像装置１とストロボ装置２とが接続コード２７で接続される。
【００３８】
さらに、接続コード２７の他端側のコネクタ２９に形成されたねじ孔（図示しない）にブラケット３０の接続コードコネクタ固定用ねじ３２が螺合される。これにより、ストロボ本体部９の側面に螺合されたブラケット３０のストロボ本体部固定用ねじ３３とともに、ストロボ装置２をブラケット３０に固定する。
【００３９】
つぎに、本実施の形態のストロボ装置２と撮像装置１をブラケットに装着した場合の動作について、図１、図２および図５を参照しながら、説明する。
【００４０】
まず、図２と図５に示すように、ストロボ装置２の制御部１５は、ストロボ本体部９の側面９ｅに形成されたねじ孔にブラケット３０のストロボ本体部固定用ねじ３３が螺合されると、上述したように、検知スイッチ２６のＯＮ信号を検知する。そして、検知スイッチ２６からの信号により、ストロボ装置２が撮像装置１のホットシューではなく、ブラケット３０に装着されたことを検知する。
【００４１】
なお、本実施の形態において、検知スイッチ２６は、ストロボ本体部固定用ねじ３３の先端部に組み込まれた磁石の移動により装着を検知する、例えばホール素子で構成される。しかし、ホール素子に限定されるものではない。例えば、ストロボ本体部９がブラケット３０に装着されていることを検知できる構造や構成の検知部であればどのような方法で検知してもよい。
【００４２】
さらに、ストロボ装置２の制御部１５は、検知スイッチ２６を介してストロボ装置２がブラケット３０に装着されたことを検知すると、撮像装置１が所在する領域への発光部１０の移動を制限する制御モードを有している。制御モードとは、例えば制御部１５の記憶部２５に記憶された移動制限範囲情報による範囲に、発光部１０が自動的に移動しないように制限するモードである。この場合、移動制限範囲情報は、撮像装置１が所在する領域（範囲）に対応する発光部１０の角度情報である。移動制限範囲情報は、ブラケット３０上での撮像装置１とストロボ装置２との相対位置関係から求めて、制御部１５の記憶部２５に記憶されている。
【００４３】
なお、移動制限範囲情報をティーチングによって取得するティーチングモードを制御部１５に設け、ティーチングによって発光部１０の移動制限範囲を設定してもよい。この場合、撮影者が発光部１０を実際に手動で動かして制限範囲を指定する、いわゆるティーチングにより取得して移動制限範囲情報を記憶部２５に記憶させる。これにより、移動制限範囲を任意に設定できる。
【００４４】
そして、制御部１５は、ストロボ装置２がブラケット３０に装着されたことを検知すると、制御モードあるいはティーチングモードを起動して、発光部１０が撮像装置１の存在する領域（移動制限範囲）に自動的に移動することを制御する。
【００４５】
これにより、ストロボ装置２の発光部１０と撮像装置１との接触や衝突を回避できる。その結果、ストロボ装置２の駆動系の損壊を未然に防止して、信頼に優れたストロボ装置２および撮像装置１を実現できる。
【００４６】
以上で説明したように、本実施の形態のストロボ装置２によれば、ストロボ装置２が撮像装置１とともにブラケット３０に装着された場合、発光部１０が、撮像装置１の存在する移動制限範囲内への移動を防止する。これにより、発光部１０が角度姿勢を変更する際に、撮像装置１との接触や衝突などを回避して当たらないようにできる。
【００４７】
また、通常、撮像装置１で撮像する場合、シャッターチャンスを逃さないために、発光部１０の角度姿勢の変更を迅速に行う必要がある。そのため、発光部１０の移動速度を速くして撮像する。このとき、速い速度で移動する発光部１０が撮像装置１に当たると、ストロボ装置２の駆動系を損壊するおそれが高くなる。さらに、場合によれば、ストロボ装置２にとって致命的なダメージとなりかねない。
【００４８】
しかし、本実施の形態のストロボ装置２によれば、速い速度で発光部１０を移動させても、制御部１５の制御モードにより、発光部１０が撮像装置１の存在する移動制限範囲内への移動をすることがない。つまり、ストロボ装置２の駆動系の損壊や、致命的なダメージを与えるなどの懸念を払拭できる。その結果、高い信頼性や安全性に優れたストロボ装置および撮像装置を実現できる。
【００４９】
なお、本発明の撮像装置およびストロボ装置は、上記実施の形態に限定されるものではなく、本発明の要旨を逸脱しない範囲内において種々変更を加えることができることはいうまでもない。
【００５０】
例えば、制御モードで制御する移動制限範囲情報は、水平方向における発光部１０の角度情報だけを規定してもよい。さらに、水平方向および垂直方向における発光部１０の角度情報の両方を規定してもよい。これにより、汎用性を向上させることができる。
【００５１】
また、上記実施の形態では、ストロボ装置をブラケットに装着された場合を例に説明したが、これに限られない。例えば、撮影装置のアクセサリシューにストロボ装置が装着され、撮影者がファインダーを使用して撮像する場合、発光部の移動制限範囲情報として、撮影者に発光部が当たらない移動制限範囲を記憶部に記憶させて、制御モードで制御してもよい。
【００５２】
具体的には、まず、ストロボ装置２の制御部１５は、ブラケットではなくアクセサリシューに装着されたことを検知部２６で検知する。検知すると、制御部１５は、制御モードあるいはティーチングモードを起動し、記憶部２５に記憶された進入（移動）が制限される範囲を規定する発光部１０の角度情報に基づいて、発光部１０の移動範囲を設定する。このとき、移動制限範囲情報として、撮影者が所在する領域が設定される。
【００５３】
つまり、制御部１５は、ストロボ装置２が撮像装置１に装着されたことを検知すると、制御モードあるいはティーチングモードを起動して、発光部１０が撮像装置１のファインダーを使用する撮影者の存在する領域（移動制限範囲）に自動的に移動することを制御する。
【００５４】
これにより、ストロボ装置２の発光部１０と撮影者との衝突や、駆動系の損壊を未然に防止できる。その結果、安全で、信頼に優れたストロボ装置２を実現できる。
【産業上の利用可能性】
【００５５】
本発明は、発光部の角度姿勢が自動的に変更されるストロボ装置において、発光部が撮像装置や撮影者との接触または衝突を防止することが要望されるストロボ装置および撮像装置などの用途に有用である。
【符号の説明】
【００５６】
１    撮像装置
１ａ，９ｂ    下面
２    ストロボ装置
３    撮影機能部
４    制御装置
５    表示部
６    操作装置
７    周辺Ｉ／Ｆ
８    シャッター
９    ストロボ本体部
９ａ    上面
９ｃ    正面
９ｄ    背面
９ｅ    側面
１０    発光部
１０ａ    面
１１    閃光放電管
１２    可変機構
１３    駆動部
１４    角度検出部
１５    制御部
１６    操作部
１７    開口部
１８    鉛直方向可変機構
１９    水平方向可変機構
２０    鉛直方向駆動部
２１    水平方向駆動部
２２    鉛直方向角度検出部
２３    水平方向角度検出部
２４    演算部
２５    記憶部
２６    検知スイッチ（検知部）
２７    接続コード
２８，２９    コネクタ
３０    ブラケット（ストロボ取付装置）
３１    撮像装置固定用ねじ
３２    接続コードコネクタ固定用ねじ
３３    ストロボ本体部固定用ねじ（固定用ねじ）
３４    主コンデンサ
【図１】
2014030329.tif 000003
【図２】
2014030329.tif 000004
【図３】
2014030329.tif 000005
【図４Ａ】
2014030329.tif 000006
【図４Ｂ】
2014030329.tif 000007
【図５】
2014030329.tif 000008
【手続補正書】
【提出日】平成27年1月28日(2015.1.28)
【手続補正１】
【補正対象書類名】明細書
【補正対象項目名】全文
【補正方法】変更
【補正の内容】
【発明の詳細な説明】
【技術分野】
【０００１】
本発明は、発光部の角度姿勢を変更可能な照射方向角度可変式のストロボ装置およびストロボ装置を備えた撮像装置に関する。
【背景技術】
【０００２】
従来から撮像装置は、より自然な画像を得るために、ストロボ装置の発光部から放射されるストロボ光を天井や壁などの反射体に照射して拡散させ、被写体を間接的に照明して撮影するバウンス撮影が行われている。
【０００３】
つまり、バウンス撮影では、ストロボ装置の発光部の照射面を被写体とは正対させず、天井や壁などの反射体のある所望の方向に向け、ストロボ光を反射体で反射させて照明し、被写体を撮影する。
【０００４】
そこで、従来のストロボ装置は、ストロボ装置の制御部で、撮影レンズの光軸方向である撮影方向とストロボ光を照射する照射方向（反射体のある所望の方向）とのなすバウンス角度を自動的に制御する構成が提案されている（例えば、特許文献１参照）。これにより、ストロボ装置の発光部を常に反射体のある方向に向けてストロボ光を照射し、間接的に被写体を照明できるとしている。
【０００５】
また、特許文献１に記載のストロボ装置は、天井（反射体）と被写体とに、それぞれ撮像装置の撮像レンズを向けてオートフォーカス測距し、反射体および被写体との距離に基づいてバウンス角度を設定して被写体を撮影している。
【０００６】
このとき、通常、ストロボ装置は、撮像装置の上面側に設けられたホットシューに装着される。
【０００７】
また、撮像装置とともにブラケットに装着されて使用される場合もある。この場合、ブラケット上で撮像装置とストロボ装置とが隣り合うように配置される。このとき、ストロボ装置が、発光部の角度姿勢を自動的に変更できる仕様の場合、発光部が撮像装置に当たる場合がある。そのため、ストロボ装置の駆動系が損壊するという課題があった。
【０００８】
また、撮像装置のホットシューにストロボ装置を装着して使用する場合、撮影者が撮像装置のファインダーを使用して撮像するときに、上記と同様に、ストロボ装置の発光部が撮影者の頭部などに当たる場合がある。そのため、ストロボ装置の駆動系の損壊だけではなく、撮影者に不具合を生じさせるという課題があった。
【先行技術文献】
【特許文献】
【０００９】
【特許文献１】特開２００９−１６３１７９号公報
【発明の概要】
【００１０】
上記課題を解決するために、本発明のストロボ装置は、撮像装置とともにブラケットに着脱自在なストロボ本体部と、ストロボ本体部に回転可能に連結される発光部と、ストロボ本体部に対する発光部の角度姿勢を変更可能とする可変機構と、可変機構を駆動する駆動部と、駆動部を制御する制御部とを備える。制御部は、ストロボ本体部がブラケットに装着されていることを検知する検知部を有する。そして、制御部は、検知部が、ストロボ本体部がブラケットに装着されていることを検知している状態において、撮像装置が所在する領域への発光部の移動を制限する制御モードを有する。
【００１１】
この構成によれば、制御部は駆動部を制御し、駆動部は可変機構を駆動して、ストロボ本体部に対する発光部の角度姿勢を変更する。このとき、ストロボ本体部がブラケットに装着される、すなわちストロボ装置がブラケットに装着されると、制御部は、装着されたことを検知部を介して認識する。そして、制御部は、制御モードにより、発光部が撮像装置の所在する領域へ移動することを制限するように、駆動部を制御する。これにより、ストロボ装置が撮像装置とともにブラケットに装着された場合、撮像装置の所在する領域への発光部の移動を防止できる。その結果、ストロボ装置の駆動系の損壊を未然に防止して、信頼に優れたストロボ装置を実現できる。
【００１２】
また、本発明のストロボ装置は、撮像装置に着脱自在なストロボ本体部と、ストロボ本体部に回転可能に連結される発光部と、ストロボ本体部に対する発光部の角度姿勢を変更可能とする可変機構と、可変機構を駆動する駆動部と、駆動部を制御する制御部とを備える。制御部は、ストロボ本体部がアクセサリシューに装着されていること、ならびに撮影者が撮像装置のファインダーを使用していること検知する検知部を有する。そして、制御部は、検知部が、ストロボ本体部がアクセサリシューに装着されていること、ならびに撮影者が撮像装置のファインダーを使用していることを検知している状態において、撮影装置のファインダーを使用する撮影者が所在する領域へ発光部の移動を制限する制御モードを有する。
【００１３】
この構成によれば、制御部は駆動部を制御し、駆動部は可変機構を駆動して、ストロボ本体部に対する発光部の角度姿勢を変更する。このとき、制御部は、検知部を介して、ストロボ本体部がアクセサリシューに装着され、かつ撮影者がファインダーを使用していることをカメラ（撮像装置）側からの通信で検知する。具体的な検知方法として、例えば撮像装置のファインダーのアイピースに光センサが設けられている。そして、撮影者がファインダーを覗いたときに、光センサが撮影者の顔で塞がれる。このとき、通常、撮像装置は、液晶モニタから電子ビューファインダーに切り替わる機能を備えている。そこで、切り替わるときの信号を通信により、制御部で受信することにより、撮影者がファインダーを使用していることを検知する方法などである。
【００１４】
そして、制御部は、制御モードにより、発光部が、撮影者が所在する領域へ移動するのを制限するように駆動部を制御する。これにより、ストロボ装置の発光部と撮影者との衝突や、駆動系の損壊を未然に防止できる。その結果、安全で、信頼に優れたストロボ装置を実現できる。
【図面の簡単な説明】
【００１５】
【図１】図１は、本発明の実施の形態に係る撮像装置の構成を示すブロック図である。
【図２】図２は、同実施の形態に係るストロボ装置の側面図である。
【図３】図３は、同実施の形態に係るストロボ装置の上面図である。
【図４Ａ】図４Ａは、同実施の形態に係るストロボ装置が設定可能な上下方向（鉛直方向）の照射範囲を説明する図である。
【図４Ｂ】図４Ｂは、同実施の形態に係るストロボ装置が設定可能な左右方向（水平方向）の照射範囲を説明する図である。
【図５】図５は、同実施の形態に係るストロボ装置が撮像装置とともにブラケットに装着されている状態を示す正面図である。
【発明を実施するための形態】
【００１６】
以下、本発明の実施の形態に係るストロボ装置およびそれを備える撮像装置について、図面を参照しながら説明する。なお、以下の実施の形態は、本発明を具体化した一例であって、本発明の技術的範囲を限定するものではない。
【００１７】
（実施の形態）
以下に、本発明のストロボ装置およびストロボ装置を備えた撮像装置について、図１から図４Ｂを用いて説明する。
【００１８】
図１は、本発明の実施の形態に係る撮像装置の構成を示すブロック図である。図２は、同実施の形態に係るストロボ装置の側面図である。図３は、同実施の形態に係るストロボ装置の上面図である。図４Ａは、同実施の形態に係るストロボ装置が設定可能な上下方向（鉛直方向）の照射範囲を説明する図である。図４Ｂは、同実施の形態に係るストロボ装置が設定可能な左右方向（水平方向）の照射範囲を説明する図である。
【００１９】
図１に示すように、本実施の形態の撮像装置１は、少なくとも被写体を撮影する撮影機能部３と、制御装置４と、表示部５と、操作装置６と、周辺Ｉ／Ｆ７と、シャッター８などを備えている。また、撮像装置１には、被写体にストロボ光を照射するストロボ装置２が装着可能（着脱可能）に設けられている。
【００２０】
制御装置４は、ストロボ装置２および撮影機能部３を制御する。表示部５は、被写体を撮影した画像などを表示する。操作装置６は、撮影条件の設定や電源のオン・オフを切り換える。周辺Ｉ／Ｆ７は、周辺機器との間で画像データなどを入出力する。シャッター８は、ストロボ装置２を発光させて被写体を撮影するために、ユーザにより操作される。
【００２１】
また、図２および図３に示すように、本実施の形態のストロボ装置２は、少なくとも、例えば矩形状に形成された筐体からなるストロボ本体部９と、発光部１０と、可変機構１２と、角度検出部１４と、制御部１５と、操作部１６と、検知スイッチ２６からなる検知部２６と、を備えている。発光部１０は、ストロボ本体部９に回転可能に連結され、閃光放電管１１が収納されている。そして、発光部１０は、例えば主コンデンサ３４から供給される電気エネルギーにより閃光放電管１１を発光させ、発光した光を外部へ放射する。可変機構１２は、発光部１０の角度姿勢を変更可能とする。駆動部１３は、可変機構１２を駆動する。角度検出部１４は、ストロボ本体部９に対する発光部１０の角度を検出する。制御部１５は、ストロボ装置２を制御する。操作部１６は、ストロボ本体部９の、例えば背面９ｄ側に設けられ、各種設定値の入力や、各種モードの選択を行う。検知部２６を構成する検知スイッチ２６は、ストロボ本体部９に設けられ、撮像装置１またはブラケット３０（図５参照）に対するストロボ装置２の脱着状態を検知する。
【００２２】
また、ストロボ本体部９の上面９ａ側には、発光部１０が回転可能に連結されている。さらに、通常、ストロボ本体部９の下面９ｂ側には、図１に示す撮像装置１が連結可能に設けられている。このとき、ストロボ本体部９の正面９ｃが撮像装置１の撮影方向Ａ（撮像レンズの光軸方向）を向くように、撮像装置１に連結されている。なお、ストロボ装置２が、図５を用いて後述するブラケット３０に装着される場合は、ストロボ装置２と撮像装置１は、別々にブラケット３０に装着される。この場合においても、ストロボ装置２のストロボ本体部９の正面９ｃが撮像装置１の撮影方向Ａを向くように、ブラケット３０に装着される。
【００２３】
また、発光部１０は、例えば略矩形状（矩形状を含む）に形成された筐体からなり、筐体の一方の面１０ａ側には閃光放電管１１が発光した光を照射する開口部１７を備えている。そして、発光部１０は、開口部１７の鉛直方向Ｂに対する傾斜角度姿勢を変更することにより、ストロボ光が照射される照射方向Ｃが変更できるように構成されている。
【００２４】
また、可変機構１２は、図２に示すように、鉛直方向可変機構１８と水平方向可変機構１９とから構成され、ストロボ本体部９と発光部１０とを回転可能に連結している。具体的には、可変機構１２の鉛直方向可変機構１８は、ストロボ本体部９の幅方向Ｄ（図３参照）に沿って設けられる横軸Ｘを中心に鉛直方向Ｂに回転可能に連結されている。一方、可変機構１２の水平方向可変機構１９は、ストロボ本体部９の上下方向Ｅ（高さ方向：図４Ａ参照）に設けられる縦軸Ｙを中心に水平方向Ｆに回転可能に連結されている。
【００２５】
さらに、可変機構１２の鉛直方向可変機構１８は、図４Ａに示すように、鉛直方向Ｂにおける発光部１０の角度姿勢を変更可能に設けられている。具体的には、鉛直方向可変機構１８は、図４Ａの実線で示す発光部１０の鉛直方向Ｂの角度姿勢を、通常照射方向角度（発光部１０が通常撮影位置Ｐ１にあるときの角度）と、図４Ａの一点鎖線で示すユーザによって設定され、通常照射方向角度とは異なる所望照射方向角度（発光部１０がバウンス撮影位置Ｐ２、Ｐ３にあるときの角度）との間を含んで、回転可能に連結して設けられている。本実施の形態では、可変機構１２の鉛直方向可変機構１８は、通常の撮影位置Ｐ１からバウンス撮影位置Ｐ３との間で、例えば鉛直方向１８０度の回転角度範囲で回転する。
【００２６】
一方、可変機構１２の水平方向可変機構１９は、図４Ｂに示すように、水平方向Ｆにおける発光部１０の角度姿勢を変更可能に設けられている。そして、本実施の形態では、水平方向可変機構１９は、左右方向１８０度の回転角度を有している。
【００２７】
また、駆動部１３は、図２および図３に示すように、鉛直方向可変機構１８を回転駆動する、例えば鉛直方向駆動モータなどからなる鉛直方向駆動部２０（図３参照）と、水平方向可変機構１９を回転駆動する、例えば水平方向駆動モータなどからなる水平方向駆動部２１（図２参照）とを備えている。
【００２８】
また、角度検出部１４は、発光部１０に設けられ、鉛直方向Ｂにおける発光部１０の角度を検出する鉛直方向角度検出部２２と、水平方向Ｆにおける発光部１０の角度を検出する水平方向角度検出部２３とを備えている。
【００２９】
ここで、鉛直方向角度検出部２２は、本実施の形態では、例えばＸＹＺ軸の３方向の加速度を検出する３軸加速度センサで構成される。そして、３軸加速度センサで静止時の重力加速度を検出することにより、発光部１０の鉛直方向Ｂにおける発光部１０の傾斜角度を検出する。水平方向角度検出部２３は、本実施の形態では、磁場（磁界）の大きさ・方向を検出する地磁気センサで構成される。そして、地磁気センサは、発光部１０が向いている方位を検出することにより、発光部１０の水平方向Ｆにおける発光部１０の傾斜角度を検出する。
【００３０】
また、制御部１５は、各種演算処理を行う演算部２４と、各種情報を記憶する記憶部２５とを備えている。制御部１５はＣＰＵから構成され、記憶部２５はＣＰＵ内蔵のＲＡＭまたはＲＯＭ、あるいはＣＰＵに外部接続されたＲＡＭまたはＲＯＭから構成されている。
【００３１】
そして、制御部１５の記憶部２５は、後述する発光部１０の移動制限範囲情報を記憶している。なお、移動制限範囲情報とは、例えば鉛直方向角度検出部２２や水平方向角度検出部２３によって検出される発光部１０の角度情報である。具体的には、発光部１０の進入（角度変更）が制限される範囲（例えば、撮像装置が所在する領域や撮影者が所在する領域など）を規定する発光部１０の角度情報である。
【００３２】
以下に、本実施の形態のストロボ装置と撮像装置をブラケットに装着した構成について、図５を用いて、具体的に説明する。
【００３３】
図５は、同実施の形態に係るストロボ装置が撮像装置とともにブラケットに装着されている状態を示す正面図である。
【００３４】
つまり、本実施の形態のストロボ装置２が、撮像装置１とともにブラケット３０に装着されて使用される場合について説明する。
【００３５】
この場合、図５に示すように、ストロボ装置２と撮像装置１は、ブラケット３０に装着される。このとき、撮像装置１とブラケット３０とは、撮像装置１の下面１ａに形成されたねじ孔（図示しない）に、ブラケット３０の撮像装置固定用ねじ３１を螺合して装着され、撮像装置１がブラケット３０に固定される。
【００３６】
一方、ストロボ装置２とブラケット３０とは、ストロボ本体部９の側面９ｅに形成されたねじ孔（図示しない）に、ブラケット３０のストロボ本体部固定用ねじ３３を螺合して装着され、ストロボ装置２がブラケット３０に固定される。ストロボ本体部９の側面９ｅに形成したねじ孔には、検知スイッチ２６を構成する検知部２６を備えている。検知スイッチ２６は、ストロボ本体部９のねじ孔に、ブラケット３０のストロボ本体部固定用ねじ３３が螺合されると、ＯＮ信号を出して、ストロボ装置２がブラケット３０に装着されたことを検知する。
【００３７】
また、撮像装置１とストロボ装置２とは、接続コード２７を介して、接続される。つまり、撮像装置１のホットシュー（図示しない）に接続コード２７の一端側のコネクタ２８が装着され、接続コード２７の他端側のコネクタ２９がストロボ装置２のアダプタ（図示しない）に装着される。これにより、撮像装置１とストロボ装置２とが接続コード２７で接続される。
【００３８】
さらに、接続コード２７の他端側のコネクタ２９に形成されたねじ孔（図示しない）にブラケット３０の接続コードコネクタ固定用ねじ３２が螺合される。これにより、ストロボ本体部９の側面に螺合されたブラケット３０のストロボ本体部固定用ねじ３３とともに、ストロボ装置２をブラケット３０に固定する。
【００３９】
つぎに、本実施の形態のストロボ装置２と撮像装置１をブラケットに装着した場合の動作について、図１、図２および図５を参照しながら、説明する。
【００４０】
まず、図２と図５に示すように、ストロボ装置２の制御部１５は、ストロボ本体部９の側面９ｅに形成されたねじ孔にブラケット３０のストロボ本体部固定用ねじ３３が螺合されると、上述したように、検知スイッチ２６のＯＮ信号を検知する。そして、検知スイッチ２６からの信号により、ストロボ装置２が撮像装置１のホットシューではなく、ブラケット３０に装着されたことを検知する。
【００４１】
なお、本実施の形態において、検知スイッチ２６は、ストロボ本体部固定用ねじ３３の先端部に組み込まれた磁石の移動により装着を検知する、例えばホール素子で構成される。しかし、ホール素子に限定されるものではない。例えば、ストロボ本体部９がブラケット３０に装着されていることを検知できる構造や構成の検知部であればどのような方法で検知してもよい。
【００４２】
さらに、ストロボ装置２の制御部１５は、検知スイッチ２６を介してストロボ装置２がブラケット３０に装着されたことを検知すると、撮像装置１が所在する領域への発光部１０の移動を制限する制御モードを有している。制御モードとは、例えば制御部１５の記憶部２５に記憶された移動制限範囲情報による範囲に、発光部１０が自動的に移動しないように制限するモードである。この場合、移動制限範囲情報は、撮像装置１が所在する領域（範囲）に対応する発光部１０の角度情報である。移動制限範囲情報は、ブラケット３０上での撮像装置１とストロボ装置２との相対位置関係から求めて、制御部１５の記憶部２５に記憶されている。
【００４３】
なお、移動制限範囲情報をティーチングによって取得するティーチングモードを制御部１５に設け、ティーチングによって発光部１０の移動制限範囲を設定してもよい。この場合、撮影者が発光部１０を実際に手動で動かして制限範囲を指定する、いわゆるティーチングにより取得して移動制限範囲情報を記憶部２５に記憶させる。これにより、移動制限範囲を任意に設定できる。
【００４４】
そして、制御部１５は、ストロボ装置２がブラケット３０に装着されたことを検知すると、制御モードあるいはティーチングモードを起動して、発光部１０が撮像装置１の存在する領域（移動制限範囲）に自動的に移動することを制御する。
【００４５】
これにより、ストロボ装置２の発光部１０と撮像装置１との接触や衝突を回避できる。その結果、ストロボ装置２の駆動系の損壊を未然に防止して、信頼に優れたストロボ装置２および撮像装置１を実現できる。
【００４６】
以上で説明したように、本実施の形態のストロボ装置２によれば、ストロボ装置２が撮像装置１とともにブラケット３０に装着された場合、発光部１０が、撮像装置１の存在する移動制限範囲内への移動を防止する。これにより、発光部１０が角度姿勢を変更する際に、撮像装置１との接触や衝突などを回避して当たらないようにできる。
【００４７】
また、通常、撮像装置１で撮像する場合、シャッターチャンスを逃さないために、発光部１０の角度姿勢の変更を迅速に行う必要がある。そのため、発光部１０の移動速度を速くして撮像する。このとき、速い速度で移動する発光部１０が撮像装置１に当たると、ストロボ装置２の駆動系を損壊するおそれが高くなる。さらに、場合によれば、ストロボ装置２にとって致命的なダメージとなりかねない。
【００４８】
しかし、本実施の形態のストロボ装置２によれば、速い速度で発光部１０を移動させても、制御部１５の制御モードにより、発光部１０が撮像装置１の存在する移動制限範囲内への移動をすることがない。つまり、ストロボ装置２の駆動系の損壊や、致命的なダメージを与えるなどの懸念を払拭できる。その結果、高い信頼性や安全性に優れたストロボ装置および撮像装置を実現できる。
【００４９】
なお、本発明の撮像装置およびストロボ装置は、上記実施の形態に限定されるものではなく、本発明の要旨を逸脱しない範囲内において種々変更を加えることができることはいうまでもない。
【００５０】
例えば、制御モードで制御する移動制限範囲情報は、水平方向における発光部１０の角度情報だけを規定してもよい。さらに、水平方向および垂直方向における発光部１０の角度情報の両方を規定してもよい。これにより、汎用性を向上させることができる。
【００５１】
また、上記実施の形態では、ストロボ装置をブラケットに装着された場合を例に説明したが、これに限られない。例えば、撮影装置のアクセサリシューにストロボ装置が装着され、撮影者がファインダーを使用して撮像する場合、発光部の移動制限範囲情報として、撮影者に発光部が当たらない移動制限範囲を記憶部に記憶させて、制御モードで制御してもよい。
【００５２】
具体的には、まず、ストロボ装置２の制御部１５は、ブラケットではなくアクセサリシューに装着されたことを検知部２６で検知する。検知すると、制御部１５は、制御モードあるいはティーチングモードを起動し、記憶部２５に記憶された進入（移動）が制限される範囲を規定する発光部１０の角度情報に基づいて、発光部１０の移動範囲を設定する。このとき、移動制限範囲情報として、撮影者が所在する領域が設定される。
【００５３】
つまり、制御部１５は、ストロボ装置２が撮像装置１に装着されたことを検知すると、制御モードあるいはティーチングモードを起動して、発光部１０が撮像装置１のファインダーを使用する撮影者の存在する領域（移動制限範囲）に自動的に移動することを制御する。
【００５４】
これにより、ストロボ装置２の発光部１０と撮影者との衝突や、駆動系の損壊を未然に防止できる。その結果、安全で、信頼に優れたストロボ装置２を実現できる。
【産業上の利用可能性】
【００５５】
本発明は、発光部の角度姿勢が自動的に変更されるストロボ装置において、発光部が撮像装置や撮影者との接触または衝突を防止することが要望されるストロボ装置および撮像装置などの用途に有用である。
【符号の説明】
【００５６】
１    撮像装置
１ａ，９ｂ    下面
２    ストロボ装置
３    撮影機能部
４    制御装置
５    表示部
６    操作装置
７    周辺Ｉ／Ｆ
８    シャッター
９    ストロボ本体部
９ａ    上面
９ｃ    正面
９ｄ    背面
９ｅ    側面
１０    発光部
１０ａ    面
１１    閃光放電管
１２    可変機構
１３    駆動部
１４    角度検出部
１５    制御部
１６    操作部
１７    開口部
１８    鉛直方向可変機構
１９    水平方向可変機構
２０    鉛直方向駆動部
２１    水平方向駆動部
２２    鉛直方向角度検出部
２３    水平方向角度検出部
２４    演算部
２５    記憶部
２６    検知スイッチ（検知部）
２７    接続コード
２８，２９    コネクタ
３０    ブラケット（ストロボ取付装置）
３１    撮像装置固定用ねじ
３２    接続コードコネクタ固定用ねじ
３３    ストロボ本体部固定用ねじ（固定用ねじ）
３４    主コンデンサ
【手続補正２】
【補正対象書類名】特許請求の範囲
【補正対象項目名】全文
【補正方法】変更
【補正の内容】
【特許請求の範囲】
【請求項１】
撮像装置とともにブラケットに着脱自在なストロボ本体部と、
前記ストロボ本体部に回転可能に連結される発光部と、
前記ストロボ本体部に対する前記発光部の角度姿勢を変更可能とする可変機構と、
前記可変機構を駆動する駆動部と、
前記駆動部を制御する制御部と、を備え、
前記制御部は、前記ストロボ本体部が前記ブラケットに装着されていることを検知する検知部を有し、
前記制御部は、前記検知部が、前記ストロボ本体部が前記ブラケットに装着されていることを検知している状態において、前記撮像装置が所在する領域への前記発光部の移動を制限する制御モードを有するストロボ装置。
【請求項２】
撮像装置に着脱自在なストロボ本体部と、
前記ストロボ本体部に回転可能に連結される発光部と、
前記ストロボ本体部に対する前記発光部の角度姿勢を変更可能とする可変機構と、
前記可変機構を駆動する駆動部と、
前記駆動部を制御する制御部と、を備え、
前記制御部は、前記ストロボ本体部がアクセサリシューに装着されていること、ならびに撮影者が前記撮像装置のファインダーを使用していることを検知する検知部を有し、
前記制御部は、前記検知部が、前記ストロボ本体部がアクセサリシューに装着されていること、ならびに撮影者が前記撮像装置のファインダーを使用していることを検知している状態において、前記撮像装置の撮影者が所在する領域へ前記発光部の移動を制限する制御モードを有するストロボ装置。
【請求項３】
前記制御部は、前記撮像装置が所在する領域に対応する前記発光部の角度情報を記憶する記憶部を有する請求項１に記載のストロボ装置。
【請求項４】
前記制御部は、前記撮像装置の撮影者が所在する領域に対応する前記発光部の角度情報を記憶する記憶部を有する請求項２に記載のストロボ装置。
【請求項５】
前記制御部は、前記撮像装置が所在する領域に対応する前記発光部の角度情報をティーチングによって取得するティーチィングモードを有する請求項３に記載のストロボ装置。
【請求項６】
前記制御部は、前記撮像装置の撮影者が所在する領域に対応する前記発光部の角度情報をティーチングによって取得するティーチィングモードを有する請求項４に記載のストロボ装置。
【請求項７】
請求項１に記載のストロボ装置およびブラケットを備える撮像装置。
【手続補正３】
【補正対象書類名】図面
【補正対象項目名】全図
【補正方法】変更
【補正の内容】
【図１】
2014030329.tif 000009
【図２】
2014030329.tif 000010
【図３】
2014030329.tif 000011
【図４Ａ】
2014030329.tif 000012
【図４Ｂ】
2014030329.tif 000013
【図５】
2014030329.tif 000014
【国際調査報告】
2014030329.tif 000015
2014030329.tif 000016
2014030329.tif 000017
2014030329.tif 000018